(57)【特許請求の範囲】
【請求項１】
試料に糸を接触させた状態で摺動させて摩耗させる糸道摩耗試験機であって、
糸供給手段と、
糸供給手段からの糸を巻取可能な巻取リールと、
巻取リールの外周面に接触して設けられ、糸供給手段から糸を巻取リールへ案内する巻取ドラムと、
糸供給手段と巻取ドラムとの間の糸の経路で糸を案内する対をなす支持部材を備え、これら支持部材の間隔に応じて糸のテンションを調整するテンション調整手段と、
糸供給手段からの巻取リールに巻き取られて移動する糸の経路における支持部材の間の位置にて試料を所定の荷重で糸に接触させた状態で保持する試料保持手段と、
巻取リールと巻取ドラムとが接触した状態を保持する接触保持手段と
を具備することを特徴とする糸道摩耗試験機。
【請求項２】
巻取ドラムは、その外周面に糸供給手段からの糸を巻取リールへ案内するガイド溝部が設けられ、
ガイド溝部は、糸が巻取リールの軸方向に沿って順次巻き付けられるように巻取ドラムの周方向に対して傾斜状である
ことを特徴とする請求項１記載の糸道摩耗試験機。
【請求項３】
接触保持手段は、巻取リールと巻取ドラムとの一方を他方に押し付ける荷重を付与する重錘を備える
ことを特徴とする請求項１または２記載の糸道摩耗試験機。
【請求項４】
請求項１ないし３いずれか一記載の糸道摩耗試験機を用いた糸道摩耗試験方法であって、
糸供給手段からの糸を巻取リールで巻き取って移動させ、
この移動する糸に対しテンション調整手段の支持部材の間の位置にて所定の荷重で試料を接触させて保持し、試料と糸とを摺動させて試料を摩耗させる
ことを特徴とする糸道摩耗試験方法。
【発明の詳細な説明】
【技術分野】
【０００１】
糸等の繊維による鋼板の摩耗試験のための糸道摩耗試験機および糸道摩耗試験方法に関する。
【背景技術】
【０００２】
摩耗は、その発生メカニズムによって種々の形態に分類される。二部材間の接触や摺動等によって生じる摩耗は、アブレシブ摩耗、凝着摩耗および疲れ摩耗等がある。そして、いずれの摩耗が生じているかは、実機の形態や運転状況によって異なる。
【０００３】
例えば編み機や織り機等の繊維機械部品は、糸等の繊維が摺動するため、繊維に含まれるＡｌ２Ｏ３やＳｉＯ２等の夾雑物との摺動によってアブレシブ摩耗が生じる。また、近年では、ＴｉＯ２による艶消しやＡｇによる消臭効果等の高機能な化学繊維が多く開発されており、これらの化学繊維に含まれる微粒子によって摩耗が著しくなっている。
【０００４】
したがって、繊維機械用部品を形成する素材では、一般的な耐摩耗性だけでなく、特に繊維の摺動に対する耐糸摩耗性が求められている。
【０００５】
このような耐糸摩耗性を評価する方法としては、例えば特許文献１の実施例に示す方法や、特許文献２の実施例に示す方法等がある。
【０００６】
特許文献１および２では、所定の糸を多くの試験片に押し付け、糸に所定の張力を付与した状態で、試験片を往復移動させることにより、糸と試験片とを摺動させた後、試験片の摩耗量を測定している。
【先行技術文献】
【特許文献】
【０００７】
【特許文献１】特開平１１−２８６８５２号公報
【特許文献２】特開２００３−１０５５０４号公報
【発明の概要】
【発明が解決しようとする課題】
【０００８】
上述の特許文献１および２の方法では、一定張力の糸を供試材の表面に一定時間通過させて、摩耗を形成する旨が記載されているが、具体的な方法や試験機の構成が不明である。また、繊維一本毎と供試材とを接触させることから、多くの供試材を準備する必要があるとともに、糸と試料とを往復して摺動させるため、摩耗試験の進行にともなって糸に損傷や切断が発生する可能性があり、安定して摩耗試験を行うことができないのが現状である。
【０００９】
本発明はこのような点に鑑みなされたもので、安定して糸による摩耗試験を行うことができる糸道摩耗試験機および糸道摩耗試験方法を提供することを目的とする。
【課題を解決するための手段】
【００１０】
請求項１に記載された糸道摩耗試験機は、試料に糸を接触させた状態で摺動させて摩耗させる糸道摩耗試験機であって、糸供給手段と、糸供給手段からの糸を巻取可能な巻取リールと、巻取リールの外周面に接触して設けられ、糸供給手段から糸を巻取リールへ案内する巻取ドラムと、糸供給手段と巻取ドラムとの間の糸の経路で糸を案内する対をなす支持部材を備え、これら支持部材の間隔に応じて糸のテンションを調整するテンション調整手段と、糸供給手段からの巻取リールに巻き取られて移動する糸の経路における支持部材の間の位置にて試料を所定の荷重で糸に接触させた状態で保持する試料保持手段と、巻取リールと巻取ドラムとが接触した状態を保持する接触保持手段とを具備するものである。
【００１１】
請求項２に記載された糸道摩耗試験機は、請求項１記載の糸道摩耗試験機において、巻取ドラムは、その外周面に糸供給手段からの糸を巻取リールへ案内するガイド溝部が設けられ、ガイド溝部は、糸が巻取リールの軸方向に沿って順次巻き付けられるように巻取ドラムの周方向に対して傾斜状であるものである。
【００１２】
請求項３に記載された糸道摩耗試験機は、請求項１または２記載の糸道摩耗試験機において、接触保持手段は、巻取リールと巻取ドラムとの一方を他方に押し付ける荷重を付与する重錘を備えるものである。
【００１３】
請求項４に記載された糸道摩耗試験方法は、請求項１ないし３いずれか一記載の糸道摩耗試験機を用いた糸道摩耗試験方法であって、糸供給手段からの糸を巻取リールで巻き取って移動させ、この移動する糸に対しテンション調整手段の支持部材の間の位置にて所定の荷重で試料を接触させて保持し、試料と糸とを摺動させて試料を摩耗させるものである。
【発明の効果】
【００１４】
本発明によれば、試料に接触して摺動する糸のテンションを支持部材の間隔に応じて調整でき、巻取リールと巻取ドラムとの接触状態が保持できるため、長期間安定して糸による摩耗試験を行うことができる。
【図面の簡単な説明】
【００１５】
【図１】本発明の一実施の形態に係る糸道摩耗試験機の構成を概略的に示す模式図である。
【図２】同上糸道摩耗試験機における巻取リールおよび巻取ドラムを示す斜視図である。
【図３】同上糸道摩耗試験機における接触保持手段の構成を概略的に示す側面図である。
【図４】同上糸道摩耗試験機におけるテンション調整手段を示す斜視図である。
【発明を実施するための形態】
【００１６】
以下、本発明の一実施の形態の構成について詳細に説明する。
【００１７】
図１において、１は糸道摩耗試験機であり、この糸道摩耗試験機１は、試料としての試験片２に糸３を接触させた状態で摺動させて、試験片２を摩耗させる摩耗試験を行うものである。
【００１８】
糸道摩耗試験機１は、糸供給手段４から引き出されて供給される任意の材質の糸３が巻き取られる巻取部５と、糸供給手段４からの糸３を巻取部５へ向けて案内する案内部６とを備えている。
【００１９】
糸供給手段４は、外周面に糸３が巻き付けられており、この巻き付けられた糸３の先端部側を引き出すことができる。
【００２０】
巻取部５は、床面に設置された基体11の上部に巻取リール12および巻取ドラム13がそれぞれ回転可能に設置されている。
【００２１】
巻取リール12は、例えばポリ塩化ビニル等の合成樹脂で軸方向の一方側が細くいわゆるコーン形に形成されたリール本体14を有し、このリール本体14内に軸部15が固定されている。そして、基体11に対して基端部22を中心に先端部23側が回動可能となるように取り付けられた第１の腕部21の先端側に軸部15が回転可能に軸支されることで、リール本体14が軸部15を中心にして回転可能となる。
【００２２】
また、巻取リール12は、糸供給手段４から引き出された糸３の先端部をリール本体14に固定した状態で回転させることで、リール本体14の外周面に糸３が巻き付けられる。
【００２３】
巻取ドラム13は、合成樹脂で円筒状に形成されたドラム本体16を有し、このドラム本体16内に軸部17が固定されている。そして、軸部17が基体11の上部に回転可能に軸支されることで、ドラム本体16が軸部17を中心に回転可能となる。
【００２４】
また、巻取ドラム13は、ドラム本体16の軸方向がリール本体14の軸方向とはややずれるように設置されるとともに、ドラム本体16の外周面がリール本体14の外周面に接触するように設置されている。そして、このようにドラム本体16とリール本体14とが接触した状態で、巻取ドラム13を例えばモータ等の駆動手段によって回転させると、接触しているリール本体14もドラム本体16とは反対方向に回転する。
【００２５】
図２に示すように、ドラム本体16の外周面には、糸供給手段４からの糸３を係合可能で、その糸３をリール本体14へ案内するガイド溝部18が設けられている。
【００２６】
このガイド溝部18は、ドラム本体16の周方向に対して傾斜状にのび、外周面状で交差している。
【００２７】
そして、糸供給手段４からの糸３がガイド溝部18に係合されその糸３の先端部がリール本体14に固定された状態にて、ドラム本体16を回転させると、リール本体14もドラム本体16とは反対方向へ回転するとともに、その回転によってリール本体14に巻き取られる糸３が、傾斜状のガイド溝部18に沿って案内されて、リール本体14の軸方向に沿って往復するように順次巻き付けられる。
【００２８】
ここで、巻取リール12による糸３の巻取量が多くなってくると、巻取リール12が巻取ドラム13から離間する方向へ持ち上げられるため、巻取リール12と巻取ドラム13との接触状態が不安定になってガタツキ等が生じ、糸３の巻き取り中の振動が大きくなる。また、振動が大きくなると、その振動が糸３に伝わって、糸３と試験片２との接触角すなわち摩耗箇所にずれが生じて、摩耗状態に悪影響を与える可能性がある。
【００２９】
そこで、巻取リール12と巻取ドラム13との接触状態を保持する接触保持手段24が設けられている。
【００３０】
図３に示すように、接触保持手段24は、巻取リール12が取り付けられた第１の腕部21の基端部22に対して接続部25を介して接続された第２の腕部26を有している。
【００３１】
第２の腕部26は、接続部25に接続された基端部27を中心に先端部28側が回動可能である。この第２の腕部26の先端部28側には、取付部材29を介して所定の質量（例えば８ｋｇ）の重錘30が設けられている。
【００３２】
また、第１の腕部21と第２の腕部26とは接続部25において、てこの原理を利用して接続されている。すなわち、重錘30によって第２の腕部26の先端部28側が押し下げられるように荷重が付与されると、てこの原理によって、第１の腕部21の先端部23側に設けられた巻取リール12が、下方である巻取ドラム13側に押し下げられるように荷重が付与され、巻取リール12と巻取ドラム13とが接近する方向へ押し付けられて接触状態が保持される。
【００３３】
案内部６は、床面に設置された固定台31の上部に固定されたガイド部材32と、固定台31の上部に取外可能に取り付けられた支持部材33，34とが設けられている。
【００３４】
そして、糸供給手段４からの糸３は、ガイド部材32および支持部材33，34に順次係合されて巻取部５へ向かって案内され、基体11に設けられたガイド部材36に係合されて巻取リール12および巻取ドラム13へ向かって案内される。すなわち、糸供給手段４からの糸３は、ガイド部材32にて支持部材33へ向かって方向転換され、支持部材33にて支持部材34へ向かって方向転換され、支持部材34にてガイド部材36へ向かって方向転換されて、ガイド部材36にて巻取ドラム13へ向かって方向転換されて、巻取ドラム13のガイド溝部18を通って巻取リール12に巻き付けられる。
【００３５】
また、固定台31には、図示しないロードセルが接続された試料保持手段35が固定され、この試料保持手段35には試験片２が位置調整可能に固定されている。
【００３６】
このように試料保持手段35に固定された試験片２は、支持部材33，34間の糸３に所定の荷重で接触された状態で保持される。
【００３７】
そして、試験片２が糸３に接触された状態で、糸３が巻取リール12に巻き取られることで、糸供給手段４から巻取リール12へ向かって糸３が一方方向に移動されて、糸３と試験片２とが所定の荷重で摺動する。
【００３８】
ここで、図４に示すように、固定台31における支持部材33，34の取付位置を変更することにより、糸供給手段４と巻取リール12との間で試験片２が接触した状態の糸３のテンションを調整できる。すなわち、固定台31の複数の開口部37と支持部材33，34とがテンション調整手段として作用する。
【００３９】
次に、上記糸道摩耗試験機１を用いた糸道摩耗試験方法について説明する。
【００４０】
まず、糸供給手段４から糸３を引き出して、この糸３を、ガイド部材32、支持部材33，34およびガイド部材36に順次係合させ、巻取ドラム13のガイド溝部18を通して巻取リール12に固定して、糸供給手段４から巻取リール12に糸３を巻き掛ける。
【００４１】
また、試料保持手段35に試験片２を固定し、必要に応じて支持部材33，34の取付位置を変更して糸３のテンションを調整するとともに、試験片２の糸３への押し付け荷重を調整する。
【００４２】
さらに、第２の腕部26の取付部材29に重錘30を取り付け、巻取リール12が巻取ドラム13側へ押し付けられるように荷重を付与する。
【００４３】
そして、所定の送り速度となるように巻取ドラム13の回転速度を設定するとともに、所定の摩耗距離となるように巻取ドラム13の回転時間を設定する。
【００４４】
その後、巻取ドラム13を回転させて、試験片２に対して糸３を摺動させ、糸３による摩擦によって試験片２を摩耗させる。
【００４５】
摩耗試験終了後には、重量変化や体積変化によって摩耗量を測定する。例えば、試験片２の形状をレプリカ樹脂に転写し、摩耗部分をレーザ顕微鏡で観察する。また、レーザ顕微鏡での観察により、摩耗痕深さ等を測定し比摩耗量を算出して、試験片２に関する糸３による耐摩耗性を評価する。
【００４６】
上記一実施の形態によれば、支持部材33，34の固定台31における取付位置を調整することで試験片２に接触して摺動する糸３のテンションを容易に調整できるため、試験片２の素材や糸３の種類に応じて、摩擦状態を適切に設定でき、摩耗試験中の糸３の損傷や破断等の不具合を防止できる。
【００４７】
また、重錘30によって巻取リール12を巻取ドラム13へ向けて押し付けるように荷重を付与した状態で摩耗試験を行うため、巻取リール12による糸３の巻き取りが進行しリール本体14の外周面に巻き付けられた糸３の厚みが厚くなっても、巻取リール12と巻取ドラム13との接触状態を保持できる。したがって、巻取リール12による糸３の巻取状態が安定し、巻き取りの進行にともなう糸３のずれ等の不具合が生じにくく、その不具合によって糸３のテンションや糸３に対する試験片２の押し付け荷重が変化してしまうことを防止でき、一定の試験条件で摩耗を進行できる。
【００４８】
したがって、例えば比較的長期間で糸３による摩耗試験を行う場合であっても、安定して、摩耗試験を行うことができる。
【００４９】
また、数ｍｍ角程度で摩耗試験の試験片としては非常に小さな試験片であっても、摩耗試験を実施できる。
【００５０】
さらに、糸の送り速度、試験片への荷重、糸のテンションおよび糸の種類を変更可能であるため、これらの条件を適宜変更することで加速試験が可能となる。
【００５１】
なお、上記一実施の形態では、試験片２が固定される固定台31における支持部材33，34の取付位置を変更することにより、糸３のテンションを調整する構成としたが、このような構成には限定されず、テンション調整手段は、糸供給手段４と巻取リール12および巻取ドラム13との間の糸３のテンションを調整できる構成であれば、適宜変更できる。
【００５２】
また、接触保持手段24は、てこの原理を利用して、重錘30によって巻取リール12を巻取ドラム13側へ押し付けるように荷重を付与することで接触状態を保持する構成としたが、このような構成には限定されず、巻取リール12および巻取ドラム13の少なくとも一方を、これら巻取リール12と巻取ドラム13とが接触した状態を保持するように押し付ける構成であればよい。
【符号の説明】
【００５３】
１    糸道摩耗試験機
２    試料としての試験片
３    糸
４    糸供給手段
12    巻取リール
13    巻取ドラム
18    ガイド溝部
24    接触保持手段
30 重錘
33，34 支持部材
35    試料保持手段
【図１】
0006726491.tif 000002
【図２】
0006726491.tif 000003
【図３】
0006726491.tif 000004
【図４】
0006726491.tif 000005